Podtech/llm-jp-corpus-v4-ja_patent huggingface dataset:
(57)【要約】【課題】立食パーティーなどで、スプーン等の置き場に困った時に、持っている取り皿の縁に片手で簡単に取りはずしができる。さらにフォークなどの先端部分が皿の下方へ向けて保持でき、安全で可愛らしいフルーツ形状の立食取り皿用スプーン等固定具を提供する。【解決手段】固定具本体（１）にフルーツ形状（２）を施し、固定具本体（１）の前面側に口部（３）を設け、その口部（３）を取り皿の縁に固定し、固定具本体（１）の下部に設けたはさみ部（４）に、フォークなどを装着保持することを特徴とする。【選択図】　図１
2004113736.tif 000002
【特許請求の範囲】
【請求項１】
固定具本体（１）の前面側に、取り皿の縁に固定できるように形成された口部（３）を設け、固定具本体（１）の下部にスプーン等の先端を取り皿の下方に向けて保持できるように形成されたはさみ部（４）を設けたことを特徴とする立食取り皿用スプーン等固定具。
【請求項２】
固定具本体（１）は、りんご、みかん、メロン、パイナップルなどのフルーツ形状（２）に形成したことを特徴とした請求項１に記載の立食取り皿用スプーン等固定具。
【発明の詳細な説明】
【０００１】
【発明の属する技術分野】
この発明は、立食パーティーなどで、持っている取り皿の縁に固定具本体を取り付けて使用するもので、固定具は、りんご、みかん、メロン、パイナップルなどのフルーツ形状を施したものである。
固定具本体の前面側に口部を設け、下部にはスプーンなどのはさみ部を設け、固定具の口部を取り皿の縁に取り付けて、下部に設けたはさみ部にスプーンなどの先部のつけね部分を９０°傾けて、はさみ部に差し込みながら、皿の下方に向けて装着保持するものである。さらに、フォークなどの先端部分が周囲の人や使用者自身にも危険を伴わず、指先などにも触れず、衛生的な立食取り皿用スプーン等固定具に関するものである。
【０００２】
【従来の技術】
従来より野外の飲食や立食パーティーなどで、片手に取り皿を持ち、セルフサービスで何度となく食べ物を取ったり飲み物を飲んだりする時に、それまで使用していたスプーン等の置き場に困ることがあった。
【０００３】
【発明が解決しようとする課題】
これは、次のような欠点があった。
従来、立食パーティーなどで、片手に取り皿を持ち、片手で食べ物を取ったり飲み物を飲んだりする時に、それまで使用していたスプーン等の置き場に困っていた。そのため、あえて不安定な取り皿の縁にスプーンなどを置かざるを得ないために皿よりスプーン等を落したり、食べ物を取りずらかったりした。
本発明は、これらの欠点を解決するために発明されたものである。
【０００４】
【課題を解決するための手段】
固定具本体（１）の前面側に口部（３）を設け、そして固定具本体（１）の下部に設けたはさみ部（４）にスプーンなどを装着保持する。
本発明は、以上のような構成よりなる立食取り皿用スプーン等固定具である。
【０００５】
【発明の実施の形態】
以下、本発明の実施の形態を説明する。
固定具の本体の前面側に口部を設け、固定具の下部にスプーン等のはさみ部を設けたことを特徴とした立食取り皿用スプーン等固定具である。
固定具の本体には、りんご、みかん、メロン、パイナップルなどのフルーツ形状を施し、球状に形成したことを特徴とした立食取り皿用スプーン等固定具である。
つぎは、さらに具体的な実施例を説明する。
固定具本体（１）には、りんご、みかん、メロン、パイナップルなどのフルーツ形状（２）を施す。
固定具本体（１）の前面側に横長の口部（３）を設け、取り皿の縁に固定する。
固定具本体（１）の下部にはさみ部（４）を設ける。
固定具本体（１）の前面側に設けた口部（３）は、固定具前面側より奥方向へ図３に示すように、断面形状が横Ｖ字状に切り込みが入り、口部（３）の奥部には丸く筒状の部分を設け、使用者が取り皿の縁に口部（３）を差し込み固定する。そして固定具本体（１）の下部に設けたはさみ部（４）は、図３に示すように、固定具下方の後方より前面側に向い丸く筒状の穴が固定具本体（１）の下方を貫通した形状である。
さらに、はさみ部（４）の筒状の穴は、後方下部が広い穴に前面側に向い狭い穴に形成され、固定具本体（１）の底面には、図５に示すように、スプーン（６）をはさみ入れるための切れ込みが前後にわたり形成され、さらにスプーン（６）をはさみ部（４）に固定するには、スプーン（６）を使用時の水平状態から図４（ａ）に示すように、固定具本体（１）の下方からスプーン（６）の柄を９０°傾けながら差し込み、その後、図４（ｂ）に示すように、スプーンなどを使用時の水平状態に戻し、スプーン（６）を保持する。
固定具本体（１）の材質には、シリコン樹脂などの弾力性部材を用いる。
本発明は以上の構成よりなり、これを使用する時は、使用者が従来、不安定な取り皿の縁に置くしかなかったスプーン等が、固定具本体（１）の下部に設けたはさみ部（４）により、取り皿の下方に向けて安定装着でき、特にフォーク等の先端部分が危険を伴うことがなく、周囲の人や使用者自身にも安全に装着保持することができる。
【０００６】
【発明の効果】
本発明を使用することにより、従来、野外の飲食や立食パーティーなどで、置き場に困ったスプーンなどを取り皿の下方に向けて片手で簡単に装着保持できる。
さらにフォークなどの先端部分が、周囲の人や使用者自身にも危険を伴わず、安全で、しかもスプーンなどを地面や床に落すことがなく、指先などにも触れず、衛生的でもある。さらに、固定具本体に施した、りんご、みかん、メロン、パイナップルなどのフルーツ形状を提供することにより、可愛らしさも兼ね備えた固定具である。
【図面の簡単な説明】
【図１】本発明の正面斜視図
【図２】本発明の下部斜視図
【図３】本発明の断面図
【図４】本発明の取り付け使用状態を示す断面図
【図５】本発明の底面図
【図６】本発明の使用状態を示す斜視図
【符号の説明】
１　固定具本体
２　フルーツ形状
３　口部
４　はさみ部
５　皿
６　スプーン
【図１】
2004113736.tif 000003
【図２】
2004113736.tif 000004
【図３】
2004113736.tif 000005
【図４】
2004113736.tif 000006
【図５】
2004113736.tif 000007
【図６】
2004113736.tif 000008
(57)【要約】【目的】本発明は、便座を使用して排便した後、快適に尻に付着した汚物（便や水分など）をふき取ることである。【構成】便座の後方部分を切り取り、その端に翼１、バー２を設ける。可動軸３を設け、前方に傾くようにする。【選択図】　　図１
2004113747.tif 000002
【特許請求の範囲】
【請求項１】
便座の後方部を切り取って、手の入るスペースをつくり、座った体制のまま、尻に付着した汚物（便や水分など）をふき取ることができる、便座。
【請求項２】
尻が後方へ落ちずに安定させる為に、翼１を設けた、請求項１の便座。
【請求項３】
尻が後方へ落ちずに安定させるためと、翼１の広がりをおさえ強度を増すために、バー２を設けた、請求項１の便座。
【請求項４】
より手の入るスペースをもうける為に、可動軸３を設けて、前方に傾くようにした、請求項１の便座。
【発明の詳細な説明】
【０００１】
【産業上の利用分野】
本発明は、便座を使用して排便をした後、尻に付着した汚物をふき取る際に関する者である。
【０００２】
【従来の技術】
従来、便座を使用して排便をした後、尻に付着した汚物を、便座から尻をずらしたり中腰の不安定な体制になってふき取っていた。特に介護を必要とする、老人や子供や身体障害者などは、本人はもとより介護をする者にとっても、中腰の不安定な体制は苦痛で大変なことであった。
【０００３】
【発明が解決しようとする課題】
便座を使用して排便をした後、座ったままの安定した体制で、楽に尻に付着した汚物をふき取る。
介護を必要とする者（老人や子供や身体障害者など）が、排便後できるだけ両者（介護者と、非介護者）が、安定した体制で楽に安全にすばやく、尻に付着した汚物をふき取る。
現代社会は高年齢化が進み、介護を必要とする者が非常に増えてきている、反面介護する者はまだまだ少ない。介護にあたっての問題もいろいろとあると思うが、なかでも入浴と排便はプライベイトを越えたものであり、身内の者が介護するならともかく、他人の介護となるとなお難しくこの先大変な状況である。そこで本発明は少しでも、排便後の処置の苦労を軽減できれば、幸いである。
【０００４】
【課題を解決する為の手段】
便座の後方部分をティッシュを持った手が入るスペース分、切り取る。
便座に座ったときに後方に尻が落ちず安定するように、翼１や、バー２を設ける。
便座の左右中央付近に可動軸３を設けて、尻を持ち上げる為に、前方に傾くようにする。
【０００５】
【作用】
便座に座ったままの安定した体制で、尻に付着した汚物をふき取れる。
尻が後方に落ちず、いつも同じ位置に安定する。
介護者にも、尻に付着した汚物をふき取る為の手のスペースが確保できる。
【０００６】
【実施例】
便座の後方部を切り取っただけで、座ったままの体制で汚物をふき取ることができる。
翼１を設けることで、尻の位置が安定する。
バー２を設けることで、さらに尻の位置が安定し、翼１の広がりをおさえるが、太さや幅、付ける位置によって、ふき取る手の妨げになる。
可動軸３を設けることで前方に体重をかけることにより、尻が持ち上がりよりいっそう汚物をふき取ることが、楽になり、特に介護者が、横から汚物をふき取る際、非情にしやすく楽である。
【０００７】
【発明の効果】
座ったそのままの安定した体制で、尻に付着した汚物をふき取ることができるので足腰に負担がかからず、大変楽である。
翼１、バー２を付けることで、いつも同じ位置に尻を安定させることにより、洗浄器具の洗浄ノズル位置を固定することができる。
可動軸３を設けて、便座を前方に傾けることで、尻を持ち上げ、より大きく後方からのスペースが確保でき、自分自身はもちろん、介護者、非介護者も排便した後、安定した体制で楽に安全にすばやく、尻に付着した汚物をふきとることができる。
【図面の簡単な説明】
【図１】本発明の斜視図
【図２】本発明の側面図
【符号の説明】
１は翼
２はバー
３は可動軸
【図１】
2004113747.tif 000003
【図２】
2004113747.tif 000004
(57)【要約】【目的】従来のカードケースは、皮革や合成皮革製の物はミシンによって縫製され、塩化ビニール製の物は熔着によって仕上げられているが、多数枚を入れる構造のカードケースはその端部の縫製又は熔着部分が重層している為に盛り上がって厚くなり、端部を綺麗に仕上げることができなかった。この為、塩化ビニールの場合は重層するシートの端を高熱で溶かしながら押し潰していたが、押圧により溶解した素材が横にハミ出すなどして綺麗な仕上がりにならなかった。本発明は、従来のカードケースになかった、多数枚のカードを入れることができ、しかも端部の縫製又は熔着部分を薄く仕上げた美しいカードケースを提供する。【構成】皮革．合成皮革．塩化ビニール等を素材とし、上辺部のみを縫製又は熔着１した横長の主シート２と、同じく上辺部のみを縫製又は熔着１し、中央部と左右両辺に切欠部４を設けた副シート３の２種類のシートを複数枚、順次ズラして重層し、この重層したシートを一括して縫製又は熔着１したのち、表紙シート５に四辺を縫製又は熔着１したカードケース。【選択図】図４
2004113750.tif 000002
【特許請求の範囲】
【請求項１】
皮革．合成皮革．塩化ビニール等を素材とし、上辺部のみを縫製又は熔着１した横長の主シート２と、同じく上辺部のみを縫製又は熔着１し、中央部と左右両辺に切欠部４を設けた副シート３の２種類のシートを複数枚、順次ズラして重層し、この重層したシートを一括して縫製又は熔着１したのち、表紙シート５に四辺を縫製又は熔着１したカードケース。
【発明の詳細な説明】
【０００１】
【産業上の利用分野】
この発明は、多量の枚数を保持できるカードケースに関する。
【０００２】
【従来の技術】
従来のカードケースは、皮革や合成皮革製の物はミシンによって縫製され、塩化ビニール製の物は熔着によって仕上げられているが、多数枚を入れる構造のカードケースはその端部の縫製又は熔着部分が重層している為に盛り上がって厚くなり、端部を綺麗に仕上げることができなかった。この為、塩化ビニールの場合は重層するシートの端を高熱で溶かしながら押し潰していたが、押圧により溶解した素材が横にハミ出すなどして綺麗な仕上がりにならなかった。
【０００３】
【発明が解決しようとする課題】
従来のカードケースになかった、多数枚のカードを入れることができ、しかも端部の縫製又は熔着部分を薄く仕上げた美しいカードケースを提供する。
【０００４】
【課題を解決するための手段】
この手段は、皮革．合成皮革．塩化ビニール等を素材とし、上辺部のみを縫製又は熔着１した横長の主シート２と、同じく上辺部のみを縫製又は熔着１し、中央部と左右両辺に切欠部４を設けた副シート３の２種類のシートを複数枚、順次ズラして重層し、この重層したシートを一括して縫製又は熔着１したのち、表紙シート５に四辺を縫製又は熔着１したカードケースを提供することを目的としている。
【０００５】
【発明の実施の形態】
発明の実施の形態を実施例に基づき図面を参照して説明する。
図１に示すのは主シート２であり上辺部のみを縫製又は熔着した横長のシートである。また、図２は上辺部のみを縫製又は熔着し中央部と左右両辺に切欠部４を設けた横長の副シート３である。この主シート２と副シート３を複数枚順次ズラして重層し、この重層したシートを一括して縫製又は熔着１したのち、表紙シート５に四辺を縫製又は熔着１したカードケースである。
【０００６】
【発明の効果】
以上に説明したように本発明は縫製又は熔着部の端部が綺麗に仕上がり、厚みが従来品と比較して薄いので多数枚のカードを入れてもカサ張らず、又、価格も廉価で提供できる。
【図面の簡単な説明】
【図１】主シートの平面図。
【図２】副シートの平面図。
【図３】シートを重層した説明図。
【図４】完成品の平面図。
【符号の説明】
１．縫製又は熔着
２．主シート
３．副シート
４．切欠部
５．表紙シート
【図１】
2004113750.tif 000003
【図２】
2004113750.tif 000004
【図３】
2004113750.tif 000005
【図４】
2004113750.tif 000006
(57)【要約】【課題】御本尊を載置するための台座に二つ折りの御本尊の下端部を嵌合し得る略Ｌ字型の溝を形成して仏壇が揺れて御本尊が倒れるようなことがない小型仏壇を提供すること。【解決手段】仏壇本体の前方開放部に扉を設け、仏壇本体内部の台座には二つ折りの御本尊の下端部を嵌合し得る略Ｌ字型の溝を形成したことを特徴とする。【選択図】　　　図２
2004113742.tif 000002
【特許請求の範囲】
【請求項１】
仏壇本体の前方開放部に扉を設け、仏壇本体内部の台座には二つ折りの御本尊の下端部を嵌合し得る略Ｌ字型の溝を形成したことを特徴とする小型仏壇。
【請求項２】
請求項１記載の台座は仏壇本体から引き出し式にしたことを特徴とする請求項１記載の小型仏壇。
【請求項３】
仏壇本体の前方開放部に扉を設け、仏壇本体内部の台座には二つ折りの御本尊の下端部を嵌合し得る略Ｌ字型の溝を形成すると共に、仏壇本体内部を照明するための発光ダイオードを設けたことを特徴とする小型仏壇。
【発明の詳細な説明】
【０００１】
【発明の属する技術分野】
本発明は、仏壇本体の前方開放部に扉を設け、仏壇本体内部の台座には二つ折りの御本尊の下端部を嵌合し得る略Ｌ字型の溝を形成したことを特徴とする小型仏壇に関するものである。
【０００２】
【従来の技術】
従来から仏壇本体内部に二つ折りの御本尊を収納した小型仏壇は公知である。
【０００３】
【発明が解決しようとする課題】
従来のこの種仏壇にあっては、台座上に二つ折りの御本尊を載置しただけのものであったため、少しでも仏壇が揺れると御本尊が倒れて失礼になるという問題点があった。
【０００４】
【発明の目的】
本発明は、御本尊を載置するための台座に二つ折りの御本尊の下端部を嵌合し得る略Ｌ字型の溝を形成して仏壇が揺れて御本尊が倒れるようなことがない小型仏壇を提供することを目的とするものである。
【０００５】
【課題を解決するための手段】
本発明に係る小型仏壇は、仏壇本体の前方開放部に扉を設け、仏壇本体内部の台座には二つ折りの御本尊の下端部を嵌合し得る略Ｌ字型の溝を形成したことを特徴とするものである。
【０００６】
【発明の作用】
二つ折りの御本尊の下端部が台座に形成された略Ｌ字型の溝に嵌合しているので、仏壇が揺れても御本尊が倒れるようなことがない。
【０００７】
【発明の実施の態様】
本発明の実施の態様を図面について具体的に説明する。
【０００８】
図１は、本発明に係る小型仏壇の閉扉状態における斜視図、図２は、本発明に係る小型仏壇の開扉状態における斜視図、図３は、仏壇本体の前方にガラス戸を差し入れる状態を表わす斜視図、図４は、台座を引き出す途中の状態を表わす斜視図、図５は、台座の溝に御本尊の下端部を嵌合して載置した状態における斜視図、図６は、仏壇本体の側面から見た内部透視図である。
【０００９】
１は、底板、天板、両側板及び背板から成る仏壇本体であって、仏壇本体１は前方の開口部が側端が一方の側板の蝶着される扉２で開閉されるようになっている。
【００１０】
３は、仏壇本体１内に収納される御本尊Ａを載置する台座で、台座３に形成された凹部状の引手３１に手を掛けて引くことによって仏壇本体内部から引き出せるように構成されているが、底板に固定されていてもよい。
【００１１】
４は、前記台座３に形成された御本尊Ａの転倒防止用の略Ｌ字型の溝で、二つ折りの御本尊Ａを開いた状態でその下端部を嵌合させるようになっており、御本尊Ａの開く角度を調節できるように前方側の溝は扇型にしてある。
【００１２】
５は、御本尊Ａが倒れないように補助する背凭板である。
【００１３】
６は、扉２を開放した後でも仏壇本体１内部に塵埃が入らないように保護するガラス戸で、仏壇本体の天板及び底板に形成されたガイド溝に案内されて左右にスライドするように構成されている。
【００１４】
７は、御本尊Ａを照明するための発熱しない発光ダイオードである。
【００１５】
次に、本発明の上記構成に従い図示する実施例について本発明の具体的用法並びに作用を説明する。
【００１６】
扉２を開いて台座３の略Ｌ字型の溝４に、二つ折りの御本尊Ａを開いた状態でその下端部を嵌合させることによって御本尊Ａは台座３上に垂直状態で起立して、御本尊Ａを正面から直視することができる。
【００１７】
【発明の効果】
以上述べた如く、本発明に係る小型仏壇によれば、仏壇本体の前方開放部に扉を設け、仏壇本体内部の台座には二つ折りの御本尊の下端部を嵌合し得る略Ｌ字型の溝を形成したものであるから、仏壇が揺れても御本尊が倒れるようなことがなく、失礼にあたることがなくなるものである。
【図面の簡単な説明】
【図１】本発明に係る小型仏壇の閉扉状態における斜視図である。
【図２】本発明に係る小型仏壇の開扉状態における斜視図である。
【図３】仏壇本体の前方にガラス戸を差し入れる状態を表わす斜視図である。
【図４】台座を引き出す途中の状態を表わす斜視図である。
【図５】台座の溝に御本尊の下端部を嵌合して載置した状態における斜視図である。
【図６】仏壇本体の側面から見た内部透視図である。
【符号の説明】
１　　　　　仏壇本体
２　　　　　扉
３　　　　　台座
４　　　　　溝
５　　　　　背凭板
６　　　　　ガラス戸
７　　　　　発光ダイオード
【図１】
2004113742.tif 000003
【図２】
2004113742.tif 000004
【図３】
2004113742.tif 000005
【図４】
2004113742.tif 000006
【図５】
2004113742.tif 000007
【図６】
2004113742.tif 000008
(57)【要約】【課題】日常のマニキュアの除去を簡単に、経済的にすることができ、同時に何枚でも連続して使用可能なように容器に収納した、除光液付き不繊布の提供。【解決手段】不繊布にミシン目等の切れ込みを入れて除光液を浸透させ、ロール状又は、折り畳み状にしてプラスチック等の密閉容器に入れることにより、使用したい枚数を、同時に連続して、簡単に提供することができるようにする。【選択図】　　図１
2004113744.tif 000002
【特許請求の範囲】
【請求項１】
ミシン目等の切れ込みをつけ除光液を浸透させた不繊布４を、ロール状又は折り畳み状にし、プラスチック等で成形した軽量のケース１に収納し、日常マニキュアを除去する際に、簡単に、連続して、何枚でも使用することができるようにした除光液付き不繊布。
【発明の詳細な説明】
【０００１】
【発明の属する技術分野】
本発明は、不繊布等にミシン目等の切れ目をつけて、除光液を浸透させ、ロール状又は、折り畳み状にし、プラスチック等で成形した軽量の密閉容器に収め、日常マニキュアを除去する際、何枚でも簡単に、連続して使用できるようにしたものである。
【０００２】
【従来の技術】
従来は除光液を浸透させたシートを１枚ずつ包装してある様な携帯用が考案されている。
【０００３】
【発明が解決しようとする課題】
日常的にマニキュアを使用する者にとって、従来のボトルに入った除光液とコットン等でマニキュアを拭き取るのは大変煩わしいことであった。
しかも現在製品化されている除光液を浸透させた不繊布は１枚づつ個包装の携帯用なので、その都度、包装を開けて使用しなければならず、毎日使用するとなると手間とコストがかかる。また現在登録中のものも携帯用のみで日常の使用で、連続して使用するには枚数が少ない。
【０００４】
【課題を解決するための手段】
そこで、不繊布等にミシン目等の切れ込みをつけ、除光液を浸透させ、ロール状又は、折りたたみ状にして、プラスチック等で成形した軽量のケースに収納させることによって自由に何枚でも簡単に使用可能になり、コストダウンも可能となり、今までの不便を解決することができる。
【０００５】
【発明の実施の形態】
以下、本発明の実施の形態について説明する。
（イ）一定間隔にミシン目等の切れ込み５をいれて分割可能にした不繊布４に除光液を浸透させ、ロール状、又は、折り畳状に畳む。
（ロ）プラスチック等の軽量な密閉容器１に４の不繊布を入れ、３の不繊布取出し口から取出して使用。使用しない時は、２のキャップをしっかり閉め、密閉させる。
【０００６】
【発明の効果】
従来の、ボトル入りの除光液を、コットンに含ませてマニキュアを拭き取っていた手間と煩わしさから開放され、又、現在製品化されている携帯用の個包装された除光液つき不繊布を、一枚、一枚包装を開けて使用する手間もなく、手軽にどこでも何枚でも使用して簡単にマニキュアを拭き取ることができる。又、特に、マニキュアを拭き取る際にこの除光液を含んだ不繊布をしばらく爪の表面にあてることによって簡単にマニキュアを拭き取ることができる。又、包装が簡易になる為、低コストで提供することができる。
【図面の簡単な説明】
【図１】本発明における容器例と、中に入れる除光液を浸透させ、ミシン目等の切れ込みを入れて、ロール状にした不繊布の形状図。形状は、円柱形でも、四角い箱状でもかまわない。容器の形状はどんな形状でも可能で、不繊布に浸透している除光液の効力が失われない様な密閉容器が良い。又、不繊布も折り畳んだ状態でも可能で、連続して何枚も使用する際、簡単に、容器から取出せるような形状が好ましい。
【符号の説明】
１　不繊布４の収納容器
２　不繊布取り出し口キャップ
３　不繊布取り出し口
４　不繊布
５　ミシン目等の切れ込み
【図１】
2004113744.tif 000003
(57)【要約】【課題】棚板を下方から支持するブラケットが不要で、外観がすっきりし、強度が十分にある棚板を提供するものである。【解決手段】後縁部が下方に向けて折曲されて側壁が形成され、この側壁に穿設された掛止部取付孔に掛止部の基部が挿入固着された陳列什器用棚板であって、掛止部の基部が側壁内面に当接されるとともに補強用アングルが掛止部の基部を挟むように側壁内面に取着されたもので、棚板の下部に邪魔になる出っ張りが無く、視覚的にも好適であり、補強用アングルが掛止部の基部を挟むように側壁内面に取着されているので、剛性に優れる。【選択図】　　　　図２
2004113676.tif 000002
【特許請求の範囲】
【請求項１】
後縁部が下方に向けて折曲されて側壁が形成され、この側壁に穿設された掛止部取付孔に掛止部の基部が挿入固着された陳列什器用棚板であって、掛止部の基部が側壁内面に当接されるとともに補強用アングルが掛止部の基部を挟むように側壁内面に取着されたことを特徴とする陳列什器用棚板。
【発明の詳細な説明】
【０００１】
【発明の属する技術分野】
本発明は、陳列什器用棚板に関し、特に陳列什器正面に設けられた取付孔に、基部に設けられた掛止部を掛止して取着される陳列什器用棚板に関する。
【０００２】
【従来の技術】
【特許文献１】特開平１４−８５２１２号公報
従来、陳列什器の両側に立設された支柱に溝付パネルの両端が取着され、この溝付パネルの溝にブラケットを介して棚板が架設される陳列什器用棚板が知られている。
例えば特開平１４−８５２１２号公報には、左右の支柱の前面に、ブラケットを介して棚板を架設し、この棚板の前縁中央部を、左右の両側縁部よりも前方に膨出した形状とし、かつこの棚板膨出部を裏面側から補強するようにした、商品陳列装置が提案されている。
又、図３、図４に示すように掛止部が棚板の後部側壁外面に当接固着された棚板が知られていた。
【０００３】
【発明が解決しようとする課題】
しかしながら上記の如き陳列什器用棚板は、ブラケットの巾が大きく、下段の棚に於いた物品の出し入れがし難く、視覚的にも邪魔になるという問題があった。
又、図３、図４に示した棚板に於いては、掛止部が目立たず、視覚的に優れているものの強度が弱く、掛止部周辺の側壁が変形し易いという問題があった。
【０００４】
そこで本発明者は従来の欠点に鑑み鋭意研究の結果、棚板を下方から支持するブラケットが不要で、外観がすっきりし、強度が十分にある棚板を提供するものである。
【０００５】
【課題を解決するための手段】
本発明請求項１記載の陳列什器用棚板は、後縁部が下方に向けて折曲されて側壁が形成され、この側壁に穿設された掛止部取付孔に掛止部の基部が挿入固着された陳列什器用棚板であって、掛止部の基部が側壁内面に当接されるとともに補強用アングルが掛止部の基部を挟むように側壁内面に取着されたもので、棚板の下部に邪魔になる出っ張りが無く、視覚的にも好適であり、補強用アングルが掛止部の基部を挟むように側壁内面に取着されているので、剛性に優れる。
【０００６】
【発明の実施の形態】
以下、図面を参照しながら本発明に付いて説明する。
図１は本発明陳列什器用棚板の実施形態の一例を示す斜視図である。
図に於いて、２は前面パネルであり、正面に小判型の長孔が多数穿設されて掛止孔２１となされている。この掛止孔２１に陳列什器用棚板１の後部の側壁１１に設けられた掛止部１３が掛止されている。
【０００７】
図２は本発明陳列什器用棚板１の一例の要部を示す斜視図である。
陳列什器用棚板１の縁部は、下方に向けて折曲され、側壁１１が形成されている。陳列什器用棚板１の後部の側壁１１には掛止部１３を挿入するようになされた矩形の透孔１２が穿設され、掛止部取付孔となされている。この掛止部取付孔に掛止部１３が挿入され、この掛止部１３の挿入部１３１が側壁１１の裏面と固着される。
【０００８】
陳列什器用棚板１の後部の側壁１１の裏面には補強用アングル１４が補強用プレート１５を側壁１１との間に挟んで取り付けられる。補強用アングル１４はＬ形と倒Ｌ形の一対の補強用アングル１４がそれぞれ一辺を陳列什器用棚板１の側壁１１の上下面に当接固着されている。
【０００９】
掛止部１３は挿入部１３１の上部が外側に折曲され、その上部が内側に折曲されて当接部１３２となされている。この当接部１３２が陳列什器前面パネル２の掛止孔２１に挿入され、前面パネル２の内壁面に当接され、陳列什器用棚板１が、前面パネル２に掛止されるようになされている。
【００１０】
本発明における陳列什器用棚板１や掛止部１３は金属板を折曲して作製され、塗装や鍍金など適宜表面処理が施される。金属板としては、鋼板やアルミ合金板など適宜材料が用いられればよいが、剛性に優れる鋼板が好適に用いられる。
【００１１】
【発明の効果】
上述の如く、本発明請求項１記載の陳列什器用棚板は、後縁部が下方に向けて折曲されて側壁が形成され、この側壁に穿設された掛止部取付孔に掛止部の基部が挿入固着された陳列什器用棚板であって、掛止部の基部が側壁内面に当接されるとともに補強用アングルが掛止部の基部を挟むように側壁内面に取着されたもので、棚板の下部に邪魔になる出っ張りが無く、視覚的にも好適であり、補強用アングルが掛止部の基部を挟むように側壁内面に取着されているので、剛性に優れる。
【図面の簡単な説明】
【図１】本発明陳列什器用棚板の実施形態の一例を示す斜視図である。
【図２】本発明陳列什器用棚板の一例の要部を示す斜視図である。
【図３】従来の陳列什器用棚板の一例を示す斜視図である。
【図４】従来の陳列什器用棚板の一例の要部を示す斜視図である。
【符号の説明】
１　　陳列什器用棚板
１１　側壁
１２　矩形の透孔
１３　掛止部
１３１　挿入部
１３２　当接部
１４　補強用アングル
１５　補強用プレート
２　　前面パネル
２１　掛止孔
【図１】
2004113676.tif 000003
【図２】
2004113676.tif 000004
【図３】
2004113676.tif 000005
【図４】
2004113676.tif 000006
(57)【要約】【課題】茶を注ぐ際に、茶葉が茶こし部の孔に詰まって、お茶が出にくくなるのを防止すること。茶葉をお湯に浸して、お茶を十分に出すこと。【解決手段】急須本体１に設けられた茶こし通湯孔８とは別に、急須本体１の内部に孔の開いた茶こし補助板３を設ける。【選択図】　　　図１
2004113543.tif 000002
【特許請求の範囲】
【請求項１】
複数の通湯孔（４）を設けた茶こし補助板（３）を、茶こし補助板取付部（６）に取り付けた、湯詰まり防止付き急須。
【発明の詳細な説明】
【０００１】
【発明の属する技術分野】
この発明はお茶が出にくくなるのを防止する急須に関するものである。
【０００２】
【従来の技術】
今までの急須は、急須から茶を注ぐ際に、茶葉が茶こし部の孔に詰まって、お茶が出にくくなったり、又、そのため、蓋のところからお茶がこぼれたりしていた。
【０００３】
金属製の網状の茶葉受けを急須の口に置いて、上からお湯を注ぎ、茶葉が急須の中に落ちないようにしたものもあったが、お湯が通過するだけなので、十分なお茶が出ない欠点があった。
【０００４】
今まで茶葉が詰まって茶が出ない、出づらいと言う現象は次の様に説明できる。入れ立ての茶葉はまだ、ふやけていないので、茶こしの孔に引っ掛かった状態になっており、孔と茶葉の隙間ができた状態になっている。
この隙間から湯が流れて茶となって出てくる（注がれる）分けである。
しかし、時間がたって茶葉がふやけてしまうと、注ぐ時の湯の流れによる圧力や湯自体の重さによる圧力で、茶葉が孔に密着して隙間がなくなるか、或いは、隙間が極端に少なくなるため、茶が出にくくなる。
【０００５】
【発明が解決しようとする課題】
茶葉が茶こし部の孔に詰まって、お茶が出にくくなったり、又、そのため、蓋のところからお茶がこぼれたりしないこと。
【０００６】
茶葉をお湯に浸して、お茶を十分に出すこと。
【０００７】
【課題を解決する為の手段】
茶こし部に設けられた茶こし通湯孔とは別に、急須本体内部に、通湯孔を設けた茶こし補助板を設ける事。
【０００８】
【発明の実施の形態】
茶こし補助板は急須本体部と一体的に形成しても良いが、別部品として別に形成して脱着自在に勘合させても良い。
【０００９】
茶こし補助板は急須本体部と一体的に形成しても良いが、別部品として別に形成して接合させても良い。
【００１０】
茶こし補助板を２枚以上に分割し、一部を急須本体と一体的に形成し、一部を別部品として別に形成して接合させても良い。
【００１１】
茶こし補助板を２枚以上に分割し、一部を急須本体と一体的に形成し、一部を別部品として別に形成して脱着自在に勘合させても良い。
【００１２】
茶こし補助板の形状は板状を基本とするが、茶こし補助板が茶こし部側に窪んでいるもの、逆方向にふくらんでいるもの、両側とも窪んでいるもの、両側ともふくらんでいるものであっても、目的を達成できる。
【００１３】
茶こし補助板の形状は板状を基本とするが、茶こし補助板板厚が急須の底の方が上部に比べて薄くなっているもの、逆に厚くなっているものであっても、目的を達成できる。
【００１４】
茶こし補助板の形状は板状を基本とするが、茶こし補助板が茶こし部側に湾曲しているもの、反対側へ湾曲しているものであっても、目的を達成できる。
【００１５】
茶こし補助板の取付位置は茶こし部面に平行に取り付けるのを基本とするが、急須の上面から観た場合、左右どちらに傾いていても、目的を達成できる。
【００１６】
茶こし補助板の高さを茶こし通湯孔の最下部の孔より低くしても、目的を達成出来る。
【００１７】
茶こし補助板の高さを茶こし通湯孔の最上部の孔より高くしても、目的を達成出来る。
【００１８】
茶こし補助板の高さを茶こし通湯孔の最下部の穴と、最上部の穴の間にしても、目的を達成出来る。
【００１９】
通湯孔の孔の大きさは一種類だけとしなくても、二種類以上でも、目的を達成出来る。
【００２０】
通湯孔の孔の形状は丸や楕円だけでなくても、菱形、星形、三角形、矩形等の単体でも、それらの組み合わせでも、又、違う形状をもつ孔をつなぎ併せて新しい形状を持たせた孔であっても、目的を達成出来る。
【００２１】
通湯孔の孔の大きさは、茶こし部側の径と反茶こし部側の径を変えても、目的を達成出来る。
【００２２】
【発明の実施例】
実施例について図面を参照して説明する。
図１において、外観的には、一般に用いられている既知の形状を持つ急須であるが、急須本体１の内部には注ぎ口７の付け根のところに既知の茶こし部２があり、茶こし部２に向かって茶こし補助板３を設けてある。この茶こし補助板３には多数の通湯孔４が設けてある。
【００２３】
茶葉は茶こし補助板３を挟んで、茶こし部２の反対側の急須内に入れられる。お湯も同様に、茶こし補助板３を挟んで、茶こし部２の反対側の急須内へと注がれる。
【００２４】
【発明の効果】
今まで茶葉が詰まって茶が出ない、出づらいと言う現象は次の様に説明できる。入れ立ての茶葉はまだ、ふやけていないので、茶こしの孔に引っ掛かった状態になっており、孔と茶葉の隙間ができた状態になっている。
この隙間から湯が流れて茶となって出てくる（注がれる）分けである。
しかし、時間がたって茶葉がふやけてしまうと、注ぐ時の湯の流れによる圧力や湯自体の重さによる圧力で、茶葉が孔に密着して隙間がなくなるか、或いは、隙間が極端に少なくなるため、茶が出にくくなる。
【００２５】
しかし、本発明では逆にこの現象を利用して、まず先に、茶こし補助板の通湯孔に茶葉を詰まらせる事によって、茶こし部への茶葉の移動を妨げ、茶こし部には茶葉がつまらない構造となっている。
【００２６】
茶こし補助板の孔の面積は茶こし部孔の面積の５，６倍から１０倍前後取ることが出来るので、茶こし補助板の全部の通湯孔に茶葉が詰まることは無い。
【００２７】
お茶は茶こし補助板の上部から茶こし部を通って注ぎ口から注がれる。或いは、茶こし補助板の茶葉がつまっていない孔からも、同様に注がれる。
【００２８】
本発明では茶葉より茶を十分に出し切ることが出来るので、茶葉を無駄にしないで済む経済面の効果だけでなく、茶葉を浸すことによりに茶葉の持つ成分も十分に出し切ることが出来るので、健康面にも効果がある。
【図面の簡単な説明】
蓋を取った急須の図に於いて。
【図１】本発明の正面断面図
【図２】本発明の平面断面図（断面Ｂ−Ｂ）
【図３】本発明の横断面図（断面Ａ−Ａ）
【符号の説明】
１　　急須本体
２　　茶こし部
３　　茶こし補助板
４　　通湯孔
５　　急須底部
６　　茶こし補助板取付部
７　　注ぎ口
８　　茶こし通湯孔
【図１】
2004113543.tif 000003
【図２】
2004113543.tif 000004
【図３】
2004113543.tif 000005
(57)【要約】      （修正有）【課題】通信システムの割込周期のばらつきを補正することができる分散型数値制御装置を提供する。【解決手段】上位からの受信完了の割り込みと、これに同期して動作するカウンターで作成される一定周期のタイマー割込を比較して、上位コントローラの割込が常に一定位置になるようにタイマー割込の値を変えて上位コントローラとの同期をとる。【選択図】    図１
2004187016.tif 000002
【特許請求の範囲】
【請求項１】
上位コントローラから一定周期で固定バイト長のデータを受信して動作をする分散型数値制御装置において、
上位からの受信完了の割込と、これにほぼ同期して動作する分散型数値制御装置のカウンターで作成される一定周期のタイマー割込を比較して、上位コントローラの割込が０インサーションにより変化する幅を考慮し、上位コントローラの割込が常に一定位置になるようにタイマー割込の値を変えて上位コントローラとの同期をとる分散型数値制御装置システムの同期方式。
【発明の詳細な説明】
【０００１】
【発明の属する技術分野】
本発明は通信で結合される分散型数値制御装置のシステムの同期方式に関する。
【０００２】
【従来の技術】
例えば、特許文献１において、通信で結合された分散型数値制御装置に対して、一斉放送で全ての局に割込を発生させるものである、この時にはＨＤＬＣの伝送を行うと５個の１の、連続の後には０が挿入されるゼロインサーションにより割込の発生にばらつきが発生する、これを回避するのが、特許文献２の通信システムであり、あらかじめ延びるデータの最大長で割込を発生させている。
上位コントローラの動作クロックと下位の装置の、クロックの誤差が処理のタイミングのずれを発生するので、一斉放送での同期が必要となる。この為の同期であるがゼロインサーションによるばらつきは無視できず、汎用のＨＤＬＣの通信チップでも割込周期のばらつきを補正する。
【０００３】
【特許文献１】特公平６−１９６６１号公報
【特許文献２】特許２９８５２７６号公報
【０００４】
【発明が解決しようとする課題】
本発明は上記課題を解決するためになされたものであって、通信システムの割込周期のばらつきを補正することができる分散型数値制御装置を提供することを目的とする。
【０００５】
【課題を解決するための手段】
ＣＰＵに搭載されているハードウエアーを使って通信システムのばらつき除去機能を可能にする。
【０００６】
【発明の実施の形態】
図１は通信で結合された本発明の実施例における分散型数値制御装置システムを表す、Ｐは主局の上位コントローラで伝送路を通じてＳの分散型数値制御装置４軸に指令が与えられる。これらは前記の特許等に詳しいので仔細に付いては述べない。図２は本発明の実施例における分散型数値制御装置側のＣＰＵの動作を示す、ＣＰＵ内部のキャプチャカウンターは有る一定の値になると割込ＲＴＣを発生させる、この周期図２Ｔはほぼ一定になる。通信割り込み信号が来るとキャプチャカウンターの値をラッチしＲＴＣの割込時にこの値をチェックし、一定の幅より少なくなるとＲＴＣ発生の時間を延ばし、逆に大きくなるとＲＴＣ発生の時間を縮める。この様にする事で上位コントローラの動作周期に下位の分散型数値制御装置は同期を保つ事が出来る。通信割り込み信号は単にデータのラッチ動作だけで良い。
【０００７】
【発明の効果】
以上、本発明によれば市販のＨＤＬＣのチップを利用して通信システムの割込周期のばらつきを補正できる分散型数値制御装置システムを構築できる。
【図面の簡単な説明】
【図１】本発明の実施例における分散型数値制御装置システムを表す。
【図２】本発明の実施例における分散型数値制御装置側のＣＰＵの動作を示す。
【符号の説明】
Ｐ  主局の上位コントローラ
Ｓ  分散型数値制御装置
【図１】
2004187016.tif 000003
【図２】
2004187016.tif 000004
(57)【要約】【課題】骨伝導スピーカーが電話機本体ケースから突出することなく装備されるために骨伝導スピーカーが邪魔にならず、折畳み式の構成とするのに支障がなく、高騒音下での使用も可能な骨伝導スピーカーを用いた携帯電話機を提供することを課題とする。【解決手段】骨伝導スピーカー４の振動板８を、本体ハウジング１の前面側内側面上部に直接固定することによって前記骨伝導スピーカー４を前記本体ハウジング１に組み込んだことを特徴とする。前記本体ハウジングは、折畳み式とすることができる。【選択図】        図２
2004187031.tif 000002
【特許請求の範囲】
【請求項１】
骨伝導スピーカーの振動板を、本体ハウジングの前面側内側面上部に直接固定することによって前記骨伝導スピーカーを前記本体ハウジングに組み込んだことを特徴とする骨伝導スピーカーを用いた携帯電話機。
【請求項２】
前記本体ハウジングが折畳み式である請求項１に記載の骨伝導スピーカーを用いた携帯電話機。
【発明の詳細な説明】
【０００１】
【発明の属する技術分野】
本発明は、骨伝導スピーカーを用いた携帯電話機に関するものである。
【０００２】
【従来の技術】
近時の携帯電話の普及にはめざましいものがあり、多くの人が所持するに至っている。その普及と共に、携帯電話機の小型化、高性能化も進んできており、それに伴ない、使用されるスピーカユニットについても超小型化、薄型化の要請が高まっている。
【０００３】
携帯電話機のスピーカーとしては、一般に音圧型スピーカーが用いられている。音圧型スピーカーは電話機本体ケース上部に配備され、本体ケースの正面側上部に設けた放音孔より放音され、放音孔を耳孔に当てがって聴取する。この音圧型スピーカーの場合、振動板はコーン形状であって、小型化、薄型化するにも自ずと限界がある。
【０００４】
最近、上記音圧型スピーカーの代わりに、骨を振動させることによって音声を伝達させる骨伝導スピーカーを採用した携帯電話機が考えられている。図３及び図４は、この骨伝導スピーカーを用いた携帯電話機の構成例を示すものである。
【０００５】
骨伝導スピーカー２１は、ケース２２内に、ヨーク２３とマグネット２４とボイスコイル２５とから成る振動系と、ヨーク２３に固定される振動板２６とを、振動板２６をケース２２の内側面に固定することによって収納して構成される。骨伝導スピーカー２１は、ハウジング３１の正面側上部に、ハウリング対策用のクッション材３２を介して突出状態に取り付けられる。
【０００６】
【発明が解決しようとする課題】
上記従来の骨伝導スピーカーを用いた携帯電話機の場合、骨伝導スピーカーが突出状態に取り付けられるために邪魔になり、特に、折畳み式の構成とするには適さない。
そこで本発明は、骨伝導スピーカーが電話機本体ケースから突出することなく装備されるために骨伝導スピーカーが邪魔にならず、折畳み式の構成とするのに支障がなく、高騒音下での使用も可能な骨伝導スピーカーを用いた携帯電話機を提供することを課題とする。
【０００７】
【課題を解決するための手段】
上記課題を解決するための本発明に係る骨伝導スピーカーを用いた携帯電話機は、骨伝導スピーカーの振動板を、本体ハウジングの前面側内側面上部に直接固定することによって前記骨伝導スピーカーを前記本体ハウジングに組み込んだことを特徴とする。前記本体ハウジングは、折畳み式とすることができる。
【０００８】
【発明の実施の形態】
本発明の実施の形態を添付図面に依拠して説明する。図１は、本発明に係る骨伝導スピーカーを備えた携帯電話機の要部斜視図であり、図２は、その要部の部分切截図である。
【０００９】
図中１は本体ハウジングで、従来のものと同様に、アンテナ２、画面３及び操作キー（図示していない）を配備する。本体ハウジング１内の正面側上部に、骨伝導スピーカー４が設置される。この場合、従来のもののように、スピーカー設置部に放音孔を設ける必要はない。
【００１０】
骨伝導スピーカー４は、円形のヨーク５と、ヨーク５の周壁内面に沿って配置されるマグネット６と、ヨーク５のセンターポールに巻装されるボイスコイル７と、ヨーク５の開放側端面に定着される振動板８とから成る。骨伝導スピーカー４は、振動板８を直接本体ハウジング１の内側面に固定することによって、本体ハウジング１の上部に設置される。
【００１１】
このように、骨伝導スピーカー４が本体ハウジング１の内面に直接取り付けられるため、本体ハウジング１自体がスピーカーの振動板として動作する。従って、健聴者が使用した場合には音響スピーカーとして聞くことができ、また、本体ハウジング１の全体から振動を伝達することが可能となるため、使用者は骨導音と空気振動音とを同時に聞くことになる。従って、健聴者の場合には、より自然な音質で聞くことができ、聴力が落ちた者の使用も可能になる。また、本体ハウジング１の全体が振動板となるために、一般の音圧型スピーカーと違い、放音孔（小さな孔）と耳孔を一致させる必要はない。
【００１２】
上記のように骨伝導スピーカー４を本体ハウジング１の内面に直接取り付けた場合は、ハウリングの問題が懸念される。しかし、最近の携帯電話機はデジタル化されており、また、高性能のハウリングキャンセラーが組み込まれるために、ハウリング問題は解消される。殊に、折畳み式の電話機の場合は、構造上スピーカー組み込み部とマイクロホン組み込み部とが分離されているため、一層ハウリングの問題が起こりにくい。
【００１３】
本発明に係る携帯電話機の場合は、特に、骨伝導スピーカー４を用いているために、高騒音下においても、耳栓をする等して耳を塞ぐことにより、騒音の影響を余り受けずに通話することが可能となる。
【００１４】
【発明の効果】
本発明は上述した通りであるので、骨伝導スピーカーがハウジングの内側に組み込まれた突出部のないすっきりとしたデザインとすることができ、頭部の耳周辺部と本体ハウジングとの各当接部位に制限がなく使用態様に自由度があり、ハウリングの問題もなく、健聴者が使用しても、聴覚障害者が使用しても、違和感なく使用することができる効果がある。
【図面の簡単な説明】
【図１】本発明に係る携帯電話機の要部斜視図である。
【図２】本発明に係る携帯電話機の要部の部分切截図である。
【図３】従来の携帯電話機の要部斜視図である。
【図４】従来の携帯電話機の要部の部分切截図である。
【符号の説明】
１    本体ハウジング
２    アンテナ
３    画面
４    骨伝導スピーカー
５    ヨーク
６    マグネット
７    ボイスコイル
８    振動板
【図１】
2004187031.tif 000003
【図２】
2004187031.tif 000004
【図３】
2004187031.tif 000005
【図４】
2004187031.tif 000006
(57)【要約】【課題】簡単な構成で地熱から積雪を遮断してその融解を遅らせ、また、人工雪を散布する場合でも従来に比して少量で十分に滑走可能な状態とでき、また、その滑走状態もクッション性のあるソフトな感覚のものとすることができ、怪我の発生も少なくできるスキー場の構造とする。【解決手段】地表に断熱性を保有した緩衝材を敷設し、その緩衝材上に積雪を施すこととし、前記した緩衝材は発泡スチロールとしたこととし、前記した発泡スチロールは板状のものとし、それを荷重に強い縦方向に並設してあることとし、前記した緩衝材は塊状あるいは粒状とした発泡スチロール、ウッドチップ、おがくず、ウレタンのうち一種または二種以上の混合材としたこととする。【選択図】          図１
2004187974.tif 000002
【特許請求の範囲】
【請求項１】
地表に断熱性を保有した緩衝材を敷設し、その緩衝材上に積雪を施すことを特徴とするスキー場の構造。
【請求項２】
前記した緩衝材は発泡スチロールとしたことを特徴とする請求項１に記載のスキー場の構造。
【請求項３】
前記した発泡スチロールは板状のものとし、それを荷重に強い縦方向に並設してあることを特徴とする請求項２に記載のスキー場の構造。
【請求項４】
前記した緩衝材は塊状あるいは粒状とした発泡スチロール、ウッドチップ、おがくず、ウレタンのうち一種または二種以上の混合材としたことを特徴とする請求項１に記載のスキー場の構造。
【発明の詳細な説明】
【０００１】
【発明の属する技術分野】
本発明はスキー場の構造に関し、特に人工的に設備される、屋外、屋内のゲレンデの構造に関する。
【０００２】
【特許文献】
特開平９−１０８３９９及び特開２０００−１１０１３０。
【０００３】
【発明の背景】
一般的にスキー場は屋内のゲレンデを含めて所定の厚さの積雪量が必要となり、それに満たない場合はプレーヤーが非常に危険な状況におかれてしまうことになる。
【０００４】
従って、従来は屋外の場合は自然にまかせた積雪がスキー場を開場できる条件ともなり、屋内も含めた場合には人工雪の敷設も大量のものが必要となり、その融解はスキー場にとってはクローズ状態とせざるを得ない大きな痛手となってしまう。
【０００５】
係る観点から、特許文献として挙げた技術は積雪に対し、複数層に断熱層を設け、かつ、アルミニウム箔マット等を敷いて雪の融解を防ぐものが記載されている。
【０００６】
【発明が解決しようとする課題】
しかしながら、この特許文献に記載されている技術の場合は、構成が複雑となり、断熱層の下方に雪を保存するものとなっており、実際に滑走可能な状態とするために多くの手間を必要とするものとなっているもので、また、広大なスキー場に係る設備を施すための時間や費用は膨大なものとなってしまうものであり、実用的といえるものではなかった。
【０００７】
【発明の目的】
そこで、本発明は係る従来の実情、問題点に着目してなされたもので、かかる問題点を解消して、簡単な構成で地熱から積雪を遮断してその融解を遅らせ、また、人工雪を散布する場合でも従来に比して少量で十分に滑走可能な状態とでき、また、その滑走状態もクッション性のあるソフトな感覚のものとすることができ、怪我の発生も少なくできるスキー場の構造を提供することを目的としている。
【０００８】
【課題を解決するための手段】
この目的を達成するために、本発明に係るスキー場の構造は地表に断熱性を保有した緩衝材を敷設し、その緩衝材上に積雪を施すことを特徴とし、前記した緩衝材は発泡スチロールとしたことを特徴とし、前記した発泡スチロールは板状のものとし、それを荷重に強い縦方向に並設してあることを特徴とし、前記した緩衝材は塊状あるいは粒状とした発泡スチロール、ウッドチップ、おがくず、ウレタンのうち一種または二種以上の混合材としたことを特徴としている。
【０００９】
【作用】
上記した構成としたことによって、地表に敷設された断熱性を保有する緩衝材によって積雪に地熱が伝わるのを防いで、雪の融解を遅らせ、また、少量の積雪であってもその緩衝材の存在によって安全性を確保してのプレーを楽しむことができる。そして、その滑走感覚もソフトなものとすることができるのである。
【００１０】
【発明の実施の形態】
次に、本発明の実施の形態としての一例を図面を参照して説明する。図１は本発明を実施したスキー場の構造を示す断面図、図２は同じく断熱性緩衝材の敷設状態を示す平面図である。
【００１１】
これらの図にあって１はスキー場、それもゲレンデとなる大地を示している。この大地１の地表には断熱性を保有している緩衝材としての発泡スチロール２・２‥が密接状態で敷設されている。
【００１２】
この実施の形態にあっては、発泡スチロール２・２‥は板状のものを使用しており、しかも、圧縮、押圧力に対して強靭な力を有している縦方向として、それを千鳥状に密接してある。この構成によって左右方向へのよじれに対しても強く対抗することが可能となり、加力、衝撃に対しての弱点を全面的にカバーすることができる。
【００１３】
そして、前記した発泡スチロール２・２‥上に天然雪や人工雪によって積雪層３が形成されることとなる。
【００１４】
この積雪層３は特に人工雪の場合、従来に比して少量で済み、発泡スチロール２・２‥の厚さも勘案しての積雪量（厚さ）として計算できることとなり、経済的にも有利なものとなる。
【００１５】
また、この発泡スチロール２・２‥は板状のもののほか、砕いて塊状としたり、粒状として使用することもでき、さらには発泡スチロールに代えて、ウッドチップやおがくず、ウレタン等を使用することも可能であり、これらを混合したものを緩衝材として使用することもでき、いずれも十分に大地１からの地熱を積雪層３から断熱することができる。
【００１６】
【発明の効果】
本発明に係るスキー場の構造は上述のように構成されている。そのために、地熱が積雪層に伝わることが抑えられ、有効に積雪層を長時間に亘って維持することができる。また、人工雪を散布する場合には、その人工雪の使用量が従来に比べ少量で済ませることができる。さらには、クッション性も保有することとなり、ソフトな滑走感覚を得ることも可能なものとなる。
【図面の簡単な説明】
【図１】本発明を実施したスキー場の構造を示す断面図である。
【図２】断熱性緩衝材の敷設状態を示す平面図である。
【符号の説明】
１  大地
２  発泡スチロール
３  積雪層
【図１】
2004187974.tif 000003
【図２】
2004187974.tif 000004